(57)【要約】      （修正有）【課題】付属部が、本体部の状態を把握できずに適正な操作ができないという問題を解決する。【解決手段】電子機器の本体部と、その付属部とが、通信ラインを介して接続され、本体部の電源の電圧について、前記本体部が動作不可能になる電圧範囲と動作可能になる電圧範囲とが定まっているように構成され、前記付属部の制御部が前記本体部の電源の電圧を監視する電源電圧監視ラインを備え、前記制御部は、前記電源電圧監視ラインを介して前記本体部の電源の電圧を監視し、前記電源の電圧が、前記本体部が動作不可能になる電圧範囲内になると、前記表示部に前記本体部が通常の動作を行わない状態であること表示し、前記電源の電圧が、前記本体部が動作可能になる電圧範囲内に復帰すると、前記表示部に前記本体部が通常の動作が可能な状態であることを表示するように構成される。【選択図】図１
2010200171.tif 000002
【特許請求の範囲】
【請求項１】
電子機器の本体部と、その付属部とが、通信ラインを介して接続され、前記本体部には電源を備え、前記付属部には表示部と制御部と前記本体部に対する操作信号を入力する操作部とを備え、
前記電源の電圧について、前記本体部が動作不可能になる電圧範囲と動作可能になる電圧範囲とが定まっているように構成された電子機器において、
前記付属部の制御部が前記本体部の電源の電圧を監視する電源電圧監視ラインを備え、
前記制御部は、前記電源電圧監視ラインを介して前記本体部の電源の電圧を監視し、前記電源の電圧が、前記本体部が動作不可能になる電圧範囲内になると、前記表示部に前記本体部が通常の動作を行わない状態であること表示し、前記電源の電圧が、前記本体部が動作可能になる電圧範囲内に復帰すると、前記表示部に前記本体部が通常の動作が可能な状態であることを表示するように構成され、
ていることを特徴とする電子機器。
【請求項２】
前記制御部は、
前記表示部の電源をoffして消灯することによって、前記本体部が通常の動作を行わない状態であること表示し、
前記表示部の電源をonして点灯することによって、前記本体部が通常の動作が可能な状態であることを表示するように構成されていることを特徴とする請求項１に記載の電子機器。
【発明の詳細な説明】
【技術分野】
【０００１】
本発明は、電子機器の本体部と、その付属部とが、電源ライン及び通信ラインを介して接続され、前記付属部には表示部と制御部を備えた構成の電子機器に関するものである。
【背景技術】
【０００２】
電子機器の本体部と、その付属部とが、電源ライン及び通信ラインを介して接続され、前記付属部には表示部と制御部を備えた構成の電子機器としては、無線通信機本体とそのマイクロフォンとから構成されたものがある。
従来の無線通信機の付属部としてのマイクロフォン部は、マイクロフォン及びスピーカ機能と、各種操作情報を表示する表示部とを備えているものがある。
【０００３】
そのような無線通信機においては、本体部は本体側に内蔵する電源部から供給される電源で動作し、マイクロフォン部は、前記本体側の電源から供給される電源で動作するものがある。そのような無線通信機においては、前記マイクロフォン部は、前記本体側の電源から供給される電源電圧を、当該マイクロフォン部が通常の動作をするに必要な電圧に変換するＤＣ−ＤＣコンバータを内部に備え、本体側から供給される電源電圧が低下して異常な状態になって本体部が通常の動作が不可能な状態、例えば送信動作を維持できない状態になっても、マイクロフォン部は前記ＤＣ−ＤＣコンバータによって通常の動作が可能となっているものがある。そのため、本体部が電圧低下により通常の動作状態でないにも関わらず、マイクロフォン部の表示部は通常の状態、例えば送信状態を表示する状態が発生し、使用者は本体部が送信状態でないことを認識できず、マイクロフォン部の表示部に表示される内容を信用して、通常の送信時の操作を行ってしまうことになる。その場合には、本体部は送信状態でないにも関わらず、使用者は、マイクロフォン部の表示内容にしたがって通常の送信時の操作を行ってしまい、本体部が操作内容に応答しないという不都合が発生する。
【０００４】
また、本体部の電圧が通常の電圧に復帰して本体部が通常の動作に復帰して、送信状態に移行できる状態になっても、使用者は、マイクロフォン部の表示部ではそのことを認識することができないので、使用者は適時にマイクロフォン部を操作して本体部を送信状態に移行させることは困難であるという問題があった。
いずれの問題も、本体部の電源電圧が異常に低下した状態や、異常に低下した状態から通常の電圧に復帰した状態では、マイクロフォン部に表示される内容が、本体部の動作状態と異なる状態を表示してしまうことが原因である。
【０００５】
この改善策としては、マイクロフォン部と本体部との適切な同期が必要である。そこで、例えば特許文献１には、無線通信機本体を制御するリモートコントローラ付きマイクロフォン部が記載されている。しかし、マイクロフォン側から本体の電源電圧を監視し、本体部の電源電圧が異常に低下した状態や、異常に低下した状態から通常の電圧に復帰した状態で、マイクロフォン部の表示部を初期化して、その表示内容を、本体部の動作状態に適正に合致させる技術に関しては開示されていない。
【先行技術文献】
【特許文献】
【０００６】
【特許文献１】実開平０１−１５９４８５
【発明の概要】
【発明が解決しようとする課題】
【０００７】
本発明は、本体部が電圧低下により通常の動作が停止しているにも関わらず、付属部が、本体部の状態を把握できずに通常の動作を維持してしまうとともに、本体部の電圧が通常の電圧に復帰して通常の動作が可能な状態になっているにも関わらず、付属部が、本体部の状態を把握できずに適正な操作ができないという独自の背景による発明である。
【課題を解決するための手段】
【０００８】
本発明の請求項１では、
電子機器の本体部と、その付属部とが、通信ラインを介して接続され、前記本体部には電源を備え、前記付属部には表示部と制御部と前記本体部に対する操作信号を入力する操作部とを備え、
前記電源の電圧について、前記本体部が動作不可能になる電圧範囲と動作可能になる電圧範囲とが定まっているように構成された電子機器において、
前記付属部の制御部が前記本体部の電源の電圧を監視する電源電圧監視ラインを備え、
前記制御部は、前記電源電圧監視ラインを介して前記本体部の電源の電圧を監視し、前記電源の電圧が、前記本体部が動作不可能になる電圧範囲内になると、前記表示部に前記本体部が通常の動作を行わない状態であること表示し、前記電源の電圧が、前記本体部が動作可能になる電圧範囲内に復帰すると、前記表示部に前記本体部が通常の動作が可能な状態であることを表示するように構成され、
ていることを特徴としている。
請求項２では、前記制御部は、
前記表示部の電源をoffして消灯することによって、前記本体部が通常の動作を行わない状態であること表示し、
前記表示部の電源をonして点灯することによって、前記本体部が通常の動作が可能な状態であることを表示するように構成されている。
【発明の効果】
【０００９】
本発明の請求項１に係る電子機器によれば、制御部は、電源電圧監視ラインを介して本体部の電源の電圧を監視し、前記電源の電圧が、前記本体部が動作不可能になる電圧範囲になると、表示部に前記本体部が通常の動作を行わない状態であること表示するので、使用者は、本体部が電圧低下により通常の動作が停止していることを認識でき、誤操作を防ぐことができる。
また、前記電源の電圧が、前記本体部が動作可能になる電圧範囲に復帰すると、前記表示部に前記本体部が通常の動作が可能な状態に復帰したこと表示するので、使用者は、本体部の電圧が通常の電圧に復帰して通常の動作が可能な状態になっていることを認識でき、適正な操作が適時に可能になる。
請求項２では、前記制御部は、
前記表示部の電源をoffして消灯することによって、前記本体部が通常の動作を行わない状態であること表示し、
前記表示部の電源をonして点灯することによって、前記本体部が通常の動作が可能な状態であることを表示するので、
使用者は、本体部の電圧が通常の電圧に復帰して通常の動作が可能な状態になっていることを容易に認識でき、適正な操作が適時に可能になる。
【図面の簡単な説明】
【００１０】
【図１】実施例１の電子機器のブロック図である。
【図２】前記電子機器の動作フローチャートである。
【発明を実施するための形態】
【００１１】
以下に本発明を実施するための形態として、本発明に係る電子機器の実施例１を示したブロック図とその動作フローチャートを参照しつつ、詳細に説明する。
【実施例１】
【００１２】
実施例１の電子機器のブロック図を示した図１において、
１は電子機器であり、この電子機器１は本体部２とマイクロフォン部３とを備えている。
前記本体部２には、本体側マイコン２１が内蔵されており、この本体側マイコン２１は前記本体部２の各部の機能を制御するように構成されている。
前記マイクロフォン部３には、マイク側マイコン３１が内蔵されており、このマイク側マイコン３１は前記マイクロフォン部３の各部の機能を制御するように構成されている。
なお、実施例１の前記電子機器１は、本体側電源部22の電圧が、所定の電圧値より低くなって、前記本体部が動作不可能になる電圧範囲になると、本体部２の通常の動作が不可能になり、本体側電源部22の電圧が、前記所定の電圧値以上に復帰して、前記本体部が動作可能になる電圧範囲内になると、本体部２の通常の動作が可能になるものとする。
【００１３】
４は前記本体部２に接続される外部電源であり、この外部電源４からの供給電源は、本体側電源部２２を介して、本体部２の各部に供給されるとともに、電源ライン７を介して前記マイクロフォン部３側にも電源が供給されるように構成されている。
前記外部電源４から前記電源ライン７およびマイク側電源部３２を介して供給される供給電源は、前記マイク側マイコン31に供給されるとともに、マイクロフォン部３に内蔵された表示部３４をはじめ、マイクロフォン部３の各部に供給されるように構成されている。
【００１４】
前記マイクロフォン部３において、マイク側マイコン３１は、表示部制御ライン３５によって前記マイクロフォン部３に設けられた前記表示部３４の表示内容を制御するとともに、前記マイク側電源部３１から表示部３４に供給されている電源をon／off制御するように構成されている。また、操作部３６はテンキーなどの操作ボタンを備え、使用者の操作に応じて、前記マイク側マイコン３１と前記通信ライン１０を介して、前記本体部２を操作するための操作信号を出力するように構成されている。
また、前記マイク側マイコン３１は、本体電源制御ライン９によって、前記本体側パワースイッチ部２３をon／off制御することにより、本体側電源部２２から前記本体側パワースイッチ部２３を介して本体側マイコン２１をはじめ、本体部２の各部の電子回路への電源供給をon／off制御するように構成されている。
前記マイク側マイコン31には、本体部２の通常の動作が可能な電圧範囲の下限に対応する所定の電圧値が、予め記憶されている。
【００１５】
前記本体側マイコン２１と前記マイク側マイコン３１とは通信ライン１０で相互に通信可能に接続されている。
なお、前記マイクロフォン部３は特許請求の範囲に記載された付属部に対応する構成であり、
前記マイク側マイコン31は特許請求の範囲に記載された制御部に対応する構成であり、
前記通信ライン１０、及び前記本体電源制御ライン９は、特許請求の範囲に記載された通信ラインに対応する構成である。
【００１６】
上記構成において、
マイクロフォン部３のマイク側マイコン31は、前記電源電圧監視ライン８を介して前記外部電源４からマイク側電源部３２へ供給される電源電圧を常時監視している。前記マイク側電源３２へ供給される前記電源電圧は本体側電源部２２へ供給される電源電圧に等しいので、前記電源電圧が、所定の電圧未満に低下した場合、本体部２が動作不可能な電圧になったと判断し、前記本体電源制御ライン９を介して前記本体側パワースイッチ部２３をoffにする制御信号を出力するとともに、前記表示部制御ライン３５を介して、前記マイク側電源部３２から前記表示部３４に供給されている電源をoffにする制御信号を出力する。
前記所定の電圧は、本体部２の通常の動作が不可能になる電圧より少し高い電圧に設定されているので、外部電源４の電源電圧が低下するときに、本体部２の通常の動作が不可能になる前に、前記本体電源制御ライン９を介して出力された前記本体側パワースイッチ部２３をoffにする制御信号を受けて、前記本体側パワースイッチ部２３をoffにする動作が確実に行えるのである。
【００１７】
そして、前記本体側パワースイッチ部２３がoff制御されることによって、前記本体部２の各部は動作不能となり停止する。
また、前記マイクロフォン部３においては、前記表示部制御ライン３５を介して、前記マイク側電源部３２から前記表示部３４に供給されている電源をoffにする制御信号を出力し、前記表示部３４を消灯する。このような状態は、前記表示部３４は送信状態を表示する状態ではなく、前記本体部２が通常の動作を行わない状態であることを示している。
このように、本体部２が動作停止状態である間は表示部３４が消灯されるので、従来のように本体部２の動作が停止している間、マイクロフォン部３の操作ボタン等の操作を受け付けられないにもかかわらず、表示部３４が点灯した状態のままであるために、使用者が、本体部２の動作が停止している状態に気づかずに、何らかの操作を行ってしまうという問題はない。
つまり、表示部３４の状態が、本体部２の動作状態に対応した状態となって、本体部が動作停止状態になっていることを認識することができるので、従来のように、本体部２が動作停止状態になっていることに気づかないという問題はなくなる。
【００１８】
前記外部電源４から供給される電源電圧が前記所定の電圧未満に低下して、前記マイク側マイコン31によって本体側パワースイッチ部２３がoff制御されている状態であっても、マイクロフォン部３には前記外部電源４から電源電圧が直接供給されるため、前記マイク側電源部３２が動作可能な電源電圧の範囲であれば、マイク側マイコン31は正常に動作し続ける。
【００１９】
以上のように、前記マイク側マイコン31によって本体側パワースイッチ部２３がoff制御されている状態においても、マイク側マイコン31は作動を継続し、前記電源電圧監視ライン８を介して前記外部電源４から供給される電源電圧を監視し続けているので、前記外部電源４から供給される電源電圧が前記所定の電圧以上に復帰すると、本体部２が動作可能な電圧に復帰したと判断し、前記本体電源制御ライン９を介して前記本体側パワースイッチ部２３をonにする制御信号を出力するともに、前記表示部制御ライン３５を介して、前記マイク側電源部３２から前記表示部３４に供給されている電源をonにする制御信号を出力する。
【００２０】
そして、前記本体側パワースイッチ部２３がon制御されることによって、前記本体部２の各部は動作可能となって動作状態を再開するとともに、本体側マイコン２１は、再起動して、再起動を完了すると、前記通信ライン１０を介して、前記マイク側マイコン31へ起動完了通知を送出する。
マイク側マイコン31は、前記起動完了通知を受信して、本体側マイコン２１の再起動完了を確認する。
【００２１】
また、マイクロフォン部３においては、前記表示部制御ライン３５を介して、前記マイク側電源３２から前記表示部３４に供給される電源がon制御されることによって、前記表示部３４が点灯可能になるとともに、前記起動完了通知によって本体側マイコン２１の再起動完了を確認するので、前記表示部３４における表示状態を再設定して前記マイク側マイコン31から出力される表示制御信号に基づいた表示を再開する。
このように、電源電圧が復帰した場合でも、前記表示部３４における表示内容は、本体部２の動作状態に応じた内容になる、従来のように、本体部２の動作状態と、マイクロフォン部３の表示内容とが異なる状態を示してしまうという問題はない。
【００２２】
次に、以上の動作を図２のフローチャートに沿って説明する。
まず、ステップＳ１においては、マイク側マイコン31は、電源電圧監視ライン８を介して外部電源４から供給される電源電圧を監視し、所定の電圧以上であって異常がなければステップＳ２へ進み、所定の電圧未満であって異常があればステップＳ３へ進む。
【００２３】
ステップＳ３では、前記マイク側マイコン31は、
前記表示部制御ライン３５を介して、マイク側電源３２から表示部３４に供給されている電源をoffすることにより表示部３４を消灯して、ステップＳ４へ進む。
ステップＳ４では、前記マイク側マイコン31は、本体側パワースイッチ部２３をoffにして、ステップＳ５へ進む。
ステップＳ５では、前記マイク側マイコン31は、電源電圧監視ライン８を介して前記外部電源４から供給される電源電圧を監視し、前記所定の電圧未満の異常状態が継続している限りステップＳ５をループし、前記所定の電圧以上になって異常状態から正常状態に復帰するとステップＳ６へ進む。
【００２４】
ステップＳ６では、前記マイク側マイコン31は、前記本体電源制御ライン９を介して前記本体側パワースイッチ部２３をonにし、前記本体部２の各部は動作可能となって動作状態を再開する。本体側マイコン２１は、再起動を完了すると前記マイク側マイコン31へ起動完了通知を送出する。
ステップＳ７では、
マイク側マイコン31は、前記本体側マイコン２１から送出された起動完了通知を受信して、本体側マイコン２１の再起動完了を確認するとともに、
前記表示部制御ライン３５を介して、前記マイク側電源３２から前記表示部３４に供給されている電源がon制御されることによって、前記表示部３４における表示状態を再設定して前記マイク側マイコン31から出力される表示制御信号に基づいた表示を再開して、ステップＳ２へ進んで通常動作に復帰する。
ステップＳ２から再度スタートへ戻り、ステップＳ１以降の動作を繰り返す。
【００２５】
以上のように、本発明に係る電子機器１によれば、本体側に供給される電源電圧が低下した場合に、前記表示部３４における表示内容は、本体部２の動作状態に応じた内容であるので、従来のように、本体部２が電圧低下によって通常動作が不能な状態であるにも関わらず、マイクロフォン部３の表示内容が通常動作と同じ状態を示してしまうという問題はない。
また、本体側に供給される電源電圧が復帰した場合でも、前記表示部３４における表示内容は、本体部２が通常動作が可能な状態に復帰してから、通常動作と同じ状態に復帰するので、従来のように、本体部２の動作状態と、マイクロフォン部３の表示内容とが異なる状態を示してしまうという問題はない。
したがって、本体部２へ供給される電源の電圧変動が激しく、電子機器１の本体が通常の動作が可能な電圧範囲内（実施例１においては所定の電圧以上）の状態と、電子機器１の本体が通常の動作が不可能な電圧範囲内（実施例１においては所定の電圧未満）の状態とを繰り返しても、電子機器１の本体が通常の動作が可能な電圧（実施例１においては所定の電圧以上）の状態の間は、正しく動作することが可能となる。
【符号の説明】
【００２６】
１  電子機器
２  本体部
２１  本体側マイコン
２２  本体側電源、電源
２３  本体側パワースイッチ部
３  マイクロフォン部、付属部
３１  マイク側マイコン、制御部
３２  マイク側電源部、電源
３４  表示部
３５  表示部制御ライン
３６  操作部
４  外部電源
７  電源ライン
８  電源電圧監視ライン
９  本体電源制御ライン、通信ライン
１０  通信ライン
【図１】
2010200171.tif 000003
【図２】
2010200171.tif 000004